(57)【特許請求の範囲】
【請求項１】
バリアシート（１４）と、第１及び第２のプラスチック層（１２，１６）とから成る容器壁（６，８）を備えた、食品用のプラスチック容器（２）を製造する方法であって、シートボディを前記バリアシート（１４）から形成し、前記シートボディは所望のバリア特性を有する薄壁の構造体であり、前記シートボディの形状は、製造しようとするプラスチック容器（２）の前記容器壁（６，８）の少なくとも一部分に対応し、前記シートボディを射出成形型内に配置する、食品用のプラスチック容器を製造する方法において、
・前記プラスチック容器（２）の内側又は外側に対応する前記シートボディの第１の面に、第１のプラスチック層（１２）を供給し、次いで、
・前記プラスチック容器（２）の外側又は内側に対応する前記シートボディの第２の面に、第２のプラスチック層（１６）を供給する、
上記ステップを有し、
前記シートボディに、蓋（４）が取り付けられるべき蓋フランジ（１０）を形成するために蓋フランジ区分を備え付け、
前記シートボディの内側に対応する第１又は第２の面への前記第１又は第２のプラスチック層（１２；１６）の供給を、前記バリアシート（１４）が前記蓋フランジ（１０）において露出しているように行い、
前記蓋フランジ（１０）は、前記露出しているバリアシート（１４）において、前記蓋フランジ（１０）に対応するフランジ領域（２０）を有する前記蓋（４）のバリアシート（１４）と接合することを特徴とする、バリアシートを備えた容器壁を有する、食品用のプラスチック容器を製造する方法。
【請求項２】
前記シートボディは縁領域において互いに重なる部分領域を有していることを特徴とする、請求項１記載の方法。
【請求項３】
前記蓋（４）のバリアシート（１４）はプラスチックによって両側をコーティングされている、特にインサート成形されていることを特徴とする、請求項１又は２記載の方法。
【請求項４】
前記蓋フランジ区分の外側にのみプラスチック層（１６）を供給することを特徴とする、請求項１から３までのいずれか一項記載の方法。
【請求項５】
前記蓋（４）は前記プラスチック容器（２）の蓋フランジ（１０）に対応するフランジ領域（２０）において外側にのみ、プラスチックによってコーティングされているか、特にインサート成形されていることを特徴とする、請求項３又は４記載の方法。
【請求項６】
前記蓋フランジ（１０）の領域及び前記フランジ領域（２０）において、前記蓋（４）のバリアシート（１４）を、前記プラスチック容器（２）のバリアシート（１４）に封着することを特徴とする、請求項１から５までのいずれか一項記載の方法。
【請求項７】
前記バリアシート（１４）の蓋フランジ区分を外側の縁領域において全面的に、プラスチックによってインサート成形することを特徴とする、請求項１から６でのいずれか一項記載の方法。
【請求項８】
前記蓋（４）の外側の縁領域において前記バリアシート（１４）は全面的に、プラスチックによってコーティングされているか又はインサート成形されていることを特徴とする、請求項１から７までのいずれか一項記載の方法。
【請求項９】
バリアシート（１４）から成るシートボディを有する容器壁（６，８）を備えた、食品用のプラスチック容器（２）であって、前記シートボディは所望のバリア特性を有する薄壁の構造体である、食品用のプラスチック容器において、
前記バリアシート（１４）は前記容器壁（６，８）内に配置されていて、内側において第１のプラスチック層（１２）によってインサート成形されており、外側において第２のプラスチック層（１６）によってインサート成形されていて、
前記プラスチック容器は、蓋（４）が取り付けられるべき蓋フランジ（１０）を有し、前記第１のプラスチック層（１２）は、前記蓋フランジ（１０）において前記バリアシート（１４）の内側が、少なくとも部分的に露出しているように成形されており、
前記蓋フランジ（１０）のバリアシート（１４）は、前記露出している領域において、前記蓋フランジ（１０）に対応するフランジ領域（２０）を有する前記蓋（４）のバリアシート（１４）と接合される、
ことを特徴とする、バリアシートから成るシートボディを有する容器壁を備えた、食品用のプラスチック容器。
【請求項１０】
前記プラスチック容器は、両側においてプラスチックによってコーティングされた、特にインサート成形されたバリアシート（１４）を有する蓋（４）と接合されていることを特徴とする、請求項９記載のプラスチック容器。
【請求項１１】
前記蓋（４）は前記プラスチック容器の蓋フランジ（１０）に対応する前記フランジ領域（２０）において外側だけ、プラスチックによってインサート成形されていることを特徴とする、請求項１０記載のプラスチック容器。
【請求項１２】
前記蓋フランジ（１０）の領域及び前記フランジ領域（２０）において、前記蓋（４）のバリアシート（１４）は、前記プラスチック容器のバリアシート（１４）に封着されていることを特徴とする、請求項１１記載のプラスチック容器。
【請求項１３】
前記バリアシート（１４）は１〜１５μの厚さを備えた少なくとも１つのバリア層を有していることを特徴とする、請求項９から１２までのいずれか一項記載のプラスチック容器。
【請求項１４】
前記バリアシート（１４）は５〜１０μの厚さを備えた少なくとも１つのバリア層を有していることを特徴とする、請求項１３記載のプラスチック容器。
【請求項１５】
少なくとも１つのバリア層はアルミニウムから成っていることを特徴とする、請求項１３又は１４記載のプラスチック容器。
【請求項１６】
前記バリアシートは少なくとも一方の側において、１〜１５μの厚さを備えたプラスチック層又は接着層を有していることを特徴とする、請求項１３から１５までのいずれか一項記載のプラスチック容器。
【請求項１７】
前記バリアシートは少なくとも一方の側において、５〜１０μの厚さを備えたプラスチック層又は接着層を有していることを特徴とする、請求項１６記載のプラスチック容器。
【請求項１８】
第１及び／又は第２のプラスチック層（１２，１６）は、０．１〜２ｍｍの厚さを有していることを特徴とする、請求項９から１７までのいずれか一項記載のプラスチック容器。
【発明の詳細な説明】
【技術分野】
【０００１】
本発明はバリアシートを有する容器壁を備えたプラスチック容器を製造するための方法、並びにバリアシートを有する容器壁を備えたプラスチック容器に関する。
【０００２】
上記方法並びにプラスチック容器の種々異なる構成が公知である。バリアシートは容器の内側又は外側に設けられている。例えば特開平１０−１５６８７１号公報において、いわゆるインモールドラベル（In-Mould-Label）を備えた容器が公知になっている。この容器においてラベル若しくはバリアシートは、容器の外側にある。
【０００３】
特に平面図において不規則な基本形状又は底面を備えた容器、例えば不均一な辺を備えた丸味付けされた三角形の基本形状において、バリアシートをプラスチック容器の外側に、美観の問題である折り目が形成されることなく供給することはほとんどできないという問題が生じる。別の問題は、食品といった内容物を特に長く保存することができることを目的とする拡散がもたらされない容器を製造するために、バリアシートはどんな空隙も形成されないように容器を完全に取り囲む必要がある。これにより、例えば隣り合うシートの縁が互いに重なり合わない個所に、プラスチックから成る容器壁がバリアシートによって覆われていない領域がもたらされることは避けられる。さらに外側又は内側に供給されたバリアシートにおいては、シートは容器の縁領域若しくはエッジ領域においてプラスチック壁から剥がれる恐れがある。
【０００４】
本発明の目的は、上記欠点の少なくとも大部分を解決する、バリアシートを備えた容器壁を有するプラスチック容器を製造する方法を提供することである。さらに容器シートを有する容器壁を備えた、相応に改良されたプラスチック容器を提供することが望ましい。
【０００５】
本発明の観点において上記目的は、製造しようとするプラスチック容器の容器壁の少なくとも一部分に対応する形状を有するバリアシートからシートボディを形成し、シートボディを射出成形型内に配置し、プラスチック容器の内側又は外側に対応するシートボディの第１の面に、第１のプラスチック層を提供し、プラスチック容器の外側又は内側に対応するシートボディの第２の面に、第２のプラスチック層を提供する、というステップを有する、プラスチック容器を製造する方法により達成される。
【０００６】
本発明においてシートボディは、例えば射出成形プロセス、深絞りプロセス又は打抜きプロセスといった事前のプロセスステップにおいて製造された一種の予備成形品として形成されていてもよい。この構成においてシートボディは、所望のバリア特性を有する肉薄の構成品である。
【０００７】
有利な構成によれば、シートボディ若しくは予備成形品の少なくとも一方の面に、プラスチック層及び／又は、例えば良好な粘着のために働くことができる接着層が供給されている。
【０００８】
シートボディは、夫々所望のバリア機能を果たす種々異なる材料及び複数の層から成っていてもよい。したがってアルミニウムの他に軽金属材料、又はＥＶＡ又はＥＶＯＨといった他の材料も考慮される。
【０００９】
シートボディは縁領域において互いに重なる部分領域を有するようになっていてよい。この構成は、例えばシートボディが中央の領域、例えば半径方向に突出している複数（例えば４つ）の側方タブを備えた底部領域を有する構成であってよい。上記側方タブは閉鎖された側壁を形成するために底部領域に対して曲げられ、側方タブの相互の縁領域において重なり合っている。
【００１０】
両側をプラスチックによってコーティングされた、特にインサート成形されたバリアシートを有する蓋が、プラスチック容器に備え付けられるようになっている。
【００１１】
蓋フランジを形成するために、シートボディに蓋フランジ区分を備え付けることができる。
【００１２】
バリアシートの蓋フランジ区分の外側にのみプラスチック層を提供するようになっていてよい。蓋フランジ区分の領域における内側のプラスチック層は、有利には、蓋フランジの領域におけるバリアシートと蓋を直接的に接合することができるように取り除く。
【００１３】
有利には、プラスチック容器の蓋フランジに対応する、蓋の縁領域における外側だけを、プラスチックによってコーティングするか若しくはインサート成形するか、若しくはプラスチック容器の蓋フランジに対応する、蓋の縁領域における外側だけがコーティングされているか若しくはインサート成形されていて、この縁領域においてバリアシートは、内側において露出しており、プラスチック容器の蓋フランジの領域におけるプラスチック容器のバリアシートに直接的に接合することができるようになっていてよい。
【００１４】
蓋フランジの領域において蓋のバリアシートをプラスチック容器のバリアシートに沿って封着するようになっていてよい。
【００１５】
さらにバリアシートが隣り合うプラスチック層から剥がれ得ることを防ぐために、バリアシートの蓋フランジ区分を外側の縁領域において全面的にプラスチックによってインサート成形するようになっていてよい。これに対応して剥離を防ぐために、蓋の外側の縁領域における蓋のバリアシートを全面的にプラスチックによってコーティングするか又はインサート成形する構成がある。
【００１６】
包装及び蓋を外観的に製品に合わせるために、加飾又は印字のための慣用の技術（タンポン印刷又はスクリーン印刷、ラベル、転写、ホットスタンピングシート又はホットスタンピング転写（Heisspraegetransfers））が可能である。公知のインモールドラベリング法を使用する、つまり予め印刷されたシートを射出成形プロセス前に挿入することも可能である。したがって例えば加飾シートに外部から後方より射出（hinterspritzen）することができる。同様に透明なプラスチックによる外側及び／又は内側へのインサート成形が可能である。
【００１７】
さらに本発明の上記目的は、１つのバリアシートを有する容器壁を備えたプラスチック容器により達成される。本発明においてプラスチック容器は、バリアシートが容器壁内に配置されていて、内側において第１のプラスチック層によって、外側において第２のプラスチック層によってインサート成形されていることを特徴とする。
【００１８】
有利には、プラスチック容器は、バリアシートが内側において少なくとも部分的に露出している蓋フランジを有しているようになっている。
【００１９】
プラスチック容器は、両側をプラスチックによってコーティングされていて、特にインサート成形されているバリアシートを有する蓋に接合されていてよい。蓋のフランジ領域は、有利には外側だけプラスチックによってコーティングされているか若しくはインサート成形されている。
【００２０】
本発明の２つの構想において、バリアシートは１〜１５μ、特に５〜１０μの厚さを備えた少なくとも１つのバリア層を有するようになっていてよい。少なくとも１つのバリア層はアルミニウムから成っていてよい。有利にはバリアシートの少なくとも一方の側には、１〜１５μ、特に５〜１０μの厚さを備えたプラスチック層又は接着層が備え付けられている。第１及び／又は第２のプラスチック層は、有利には０．１〜２ｍｍの厚さを有している。
【図面の簡単な説明】
【００２１】
【図１】図１ａ，ｂは夫々、本発明に係るプラスチック容器及び蓋の概略的な断面図であり、図１ｃは、図１ａ，ｂに示したプラスチック容器及び蓋を組み付けた状態を示しており、図１ｄは、図１ｃの細部を拡大して示す図である。
【図２】図２ａ〜ｄは第２の実施の形態を示す、図１ａ〜ｄに類似する図である。
【図３】図３ａ〜ｄは第３の実施の形態を示す、図１ａ〜ｄに類似する図である。
【図４】図４ａ〜ｄは第４の実施の形態を示す、図１ａ〜ｄに類似する図である。
【００２２】
以下に、本発明を実施の形態に基づいて説明する。
【００２３】
図１ａ〜ｄに、蓋を備えたプラスチック容器である本発明の第１の実施の形態を概略的に示して説明する。容器壁の厚さは本発明を明確にするために、容器壁の幅及び高さ寸法関して過度に大きく示した。
【００２４】
図１に示す本発明に係る蓋４を備えたプラスチック容器２は、誇張した壁の厚さを持って断面図において示してあるので、容器壁及び蓋壁の構成が看取可能である。プラスチック容器２は底部壁６と側壁８とを有している。この側壁８から蓋フランジ１０が延在している。蓋フランジ１０は側壁８の全周に沿って延びている。
【００２５】
底部壁６及び側壁８は、内側から外側に向かってほぼ３つの層、つまり内側に位置する第１のプラスチック層１２と、中間に配置されているバリアシート１４と、外側に配置されている第２のプラスチック層１６とから成っている。
【００２６】
第１のプラスチック層１２はバリアシート１４に射出成形法により被着されており、０．１〜２ｍｍの範囲の厚さを有している。第２のプラスチック層１６もまた、射出成形法によりバリアシート１４に被着されており、第１のプラスチック層と同じ範囲の厚さを有している。
【００２７】
バリアシート１４は少なくとも１つのバリアシート、例えば約１〜２０μｍ、特に５〜１０μｍの厚さを備えたアルミニウム層を有している。このアルミニウム層の片側又は両側に、第１及び第２のプラスチック層１２，１６との良好な接合を保証し、１〜２０μｍ、特に５〜１０μｍの範囲の厚さを有していてよいプラスチック層又は接着層を配置することができる。
【００２８】
蓋フランジ１０の領域においてバリアシート１４には、外側に位置する第２のプラスチック層１６だけが備え付けられており、上方に向かって露出しているので、蓋４との拡散をもたらさない接合（diffusionsdichte Verbidung）を達成することができる。蓋４は中央の領域１８と、この中央の領域１８の全周を取り囲むフランジ領域２０とを有している。蓋４は中央の領域１８において容器体２と同様に、外側に配置されている第１のプラスチック層１２と、中間に配置されているバリアシート１４と、外側に配置されている第２のプラスチック層１６とから成っている。２つのプラスチック層は、有利には射出成形法によりバリアシート１４に被着されている。
【００２９】
蓋のフランジ領域２０においてバリアシート１４には、外側に配置されている第２のプラスチック層１６だけが備え付けられており、内側に配置された第１のプラスチック層１２は設けられておらず、バリアシート１４は露出している。
【００３０】
図１ｃに示すように、蓋４を容器体２に載置した後に蓋４及び容器体２のバリアシート１４は各フランジ領域１０，２０において直接的に互いに重なり、バリアシートの各バリア層に必要に応じて備え付けられているプラスチック層又は接着層により互いに封止することができる。
【００３１】
蓋及び容器体の封着後にプラスチック容器の内部は、周囲に対して拡散をもたらさないように閉鎖されていて、特に周囲との酸素又は水蒸気交換は行うことはできず、容器内にある食品の特に長い保存性を達成することができる。
【００３２】
図１ｄは寸法を拡大して、フランジ領域１０，２０の関係を詳細に示す。容器体２の内側の第１のプラスチック層１２は、蓋フランジ１０に隣り合って設けられている上側の領域において第１の係止手段２２を有している。この第１の係止手段２２は、蓋４の内側の第１のプラスチック層１２の突出している領域２６に形成されている第２の係止手段２４と形状接続式に協働し、載置された状態において蓋の係入及び保持をもたらす。形状接続式に協働する係止手段は、例えば溝及び対応する凸部といった、凹部及び係合可能に対応する凸部により形成することができる。これにより、蓋が開放された後に蓋を再度載置する際の係止機能が可能になる。
【００３３】
フランジ領域１０，２０においてバリアシート１４は直接的に重なり合っていて、つまりバリアシート１４のプラスチック層若しくは接着層（設けられている場合）によって互いに封着されている。
【００３４】
図２に、蓋及び容器体の外側に配置されている第２のプラスチック層１６は夫々、バリアシート１４の外側に位置する端面若しくは切断面又は打抜き加工面２８に係合する実施の形態を示す。この実施の形態は、蓋を最初に開放する場合に、バリアシート１４が蓋又は容器体の外側に位置するプラスチック層１６から簡単に剥離できないことを保証する。
【００３５】
図３に、バリアシート１４の外側の端面２８だけでなく、この外側の端面２８に隣接する、バリアシート１４の内側の付加的な縁領域が、外側に配置されている第２のプラスチック層１６によって上方から係合されるので、容器の蓋フランジの領域において、さらに外側のプラスチック層１６からバリアシート１４が剥離しないように改良されている。
【００３６】
図４に示す実施の形態は図３に示した実施の形態に相当し、蓋４の中央の領域１８は容器体２の底部壁６に向かって内方に変形しており、第２の係止手段２４を支持する突出した領域２６の形状に追従している点で異なっている。
【００３７】
上記プラスチック容器を製造するための本発明に係る方法は第一に、製造したいプラスチック容器の容器壁の少なくとも一部分に対応する形状を有するバリアシートからシートボディを形成することを特徴とする。このために有利には、平坦な切断シート（Folienzuschnitt）を使用することができる。この切断シートは容器体２の底部壁６に対応する領域及びこの領域から延びているタブ状の領域を有していてよい。このタブ状の領域は、側壁及び蓋フランジに相当し、折曲げ部及び底部を形成する領域との接合により、立体的なシートボディへと変形させる。有利には重畳領域が形成され、この重畳領域において互いに隣接するシート領域は互いに密に封着される。
【００３８】
平坦な又は少し変形した型において切断シートを射出成形型に挿入し、この射出成形型において型を閉鎖することによりシートボディに変形する。このシートボディのタブ領域は直接的に互いに接続しているか、又は互いに部分的に重なり合っている。重畳領域の封着は、射出成形型において高圧下で射出されたプラスチックにより行うことができるか、又は重畳領域はプラスチックの射出前に既に互いに封着することができる。
【００３９】
このように形成された拡散をもたらさないシートボディ又は対応して変形された切断部に、射出成形型において第１のプラスチック層がシートボディの第１の面に供給される。この第１の面が、容器の内側又は外側に対応することになる。その後、同じ射出成形型又は第２の射出成形型において、シートボディの相対する第２の面（容器の外側又は内側）に第２のプラスチック層が供給される。この実施の形態において、有利にはカバーフランジ区分は、上述のように、内側に配置されたプラスチック層によって覆われない。
【００４０】
蓋４を同じようにして、バリアシートが先ず一方の面において、次いで相対する面においてプラスチック層によって覆われることにより製造することができる。当然に蓋は完全に平坦であってよいので、バリアシート区分の両側を予め製造したプラスチック層と接合するか、又はバリアシートの両側を別様にプラスチックによってコーティングすることもできる。
【符号の説明】
【００４１】
２  プラスチック容器
４  蓋
６  底部壁
８  側壁
１０  蓋フランジ
１２  第１のプラスチック容器
１４  バリアシート
１６  第２のプラスチック層
１８  中間の領域
２０  フランジ領域
２２  第１の係止手段
２４  第２の係止手段
２６  突出した領域
２８  （バリアシートの）端面
３０  内側
【図１ａ】
0005680068.tif 000002
【図１ｂ】
0005680068.tif 000003
【図１ｃ】
0005680068.tif 000004
【図１ｄ】
0005680068.tif 000005
【図２ａ】
0005680068.tif 000006
【図２ｂ】
0005680068.tif 000007
【図２ｃ】
0005680068.tif 000008
【図２ｄ】
0005680068.tif 000009
【図３ａ】
0005680068.tif 000010
【図３ｂ】
0005680068.tif 000011
【図３ｃ】
0005680068.tif 000012
【図３ｄ】
0005680068.tif 000013
【図４ａ】
0005680068.tif 000014
【図４ｂ】
0005680068.tif 000015
【図４ｃ】
0005680068.tif 000016
【図４ｄ】
0005680068.tif 000017